(57)【特許請求の範囲】
【請求項１】
眼の動きを補正しながらレーザビームを眼中の目標に導くための制御方法であって、レーザビームを照射目標へ導く手段と、角膜のストロマ内の３つの異なる位置に予め設けた基準マークを監視する手段とを含み、この監視する手段は各々が角膜を映像化する複数のカメラと、各カメラからの映像を比較して各基準マークの位置を判断するプロセッサとを有するシステムを用い、
前記複数のカメラが、前記基準マークを捉えて監視することと、
前記プロセッサが、前記カメラで捉えた基準マークから角膜基準面を確定することと、
前記プロセッサが、この角膜基準面との関連においてレーザビームの照射目標位置を計算することと、
前記レーザビームを照射目標へ導く手段が、前記基準マークの監視を通して角膜基準面の動きを監視しながら、レーザビームを照射目標に導くこととを含む制御方法。
【請求項２】
眼の動きを補正しながらレーザビームを眼中の目標に導くシステムであって、眼のストロマを光線剥離し、３つの異なる位置に基準マークを作り出して角膜基準面を画定する手段と、角膜基準面との関連においてレーザビームの照射目標の位置を計算する手段と、角膜基準面の動きを監視し、レーザビームを該目標に導く手段とを含み、この監視する手段は、各々が角膜を映像化する複数のカメラと、各カメラからの映像を比較して上記の各基準マークの位置を判断するプロセッサとを有する、システム。
【請求項３】
請求項２に記載のシステムにおいて、前記基準マークを作り出す手段は、前記位置のうちの第１のものにおける第一ポイントにレーザの焦点を合わせ、この第一ポイントで組織を光線剥離して第一バブルとすることにより前記基準マークを作り出し、該基準マークを作り出す手段は、バブルの大きさを計測するための波面ディテクタを有するとともに、バブルがストロマのラメラ層間にあることを表す大きさの基準バブルを設定され、前記基準マークを作り出す手段は、波面ディテクタを用いて第一バブルの大きさを計測し、第一バブルの大きさを基準バブルと比較することによって、第一ポイントがラメラの層間の界面にあるかどうかを判断し、さらにフォトディスラプション（光線破壊）するために、第一ポイントに隣接する第二ポイントを選択し、第一ポイントがラメラ層間の界面にあると判断する場合、第二ポイントを角膜の外側表面から第一ポイントとほぼ同じ深さに選択し、第一ポイントがラメラの層内にあると判断する場合、第二ポイントを角膜の外側表面から第一ポイントとわずかに異なる深さに選択する、システム。
【発明の詳細な説明】
【０００１】
【発明の属する技術分野】
本発明は一般的に眼病治療用装置およびその治療に関するものである。さらに詳しく言うと、本発明は、眼の診断中、あるいは、角膜レーザ手術といったような矯正治療中に、眼の動きをたどるのに有用な装置および方法に関する。本発明は特に、しかしそれに限るものではないが、眼の回転の動きをたどるのに有用である。
【０００２】
【従来の技術】
レーザの使用は、光学的不具合の診断および矯正においてのみならず、眼病診断や治療を含むさまざまな眼に関する用途において現在では一般的であるといってよい。例をあげると、よく知られているＬＡＳＩＫ治療のような、レーザを使用する角膜矯正治療が広く用いられている。これが用いられると、こうした治療でしばしば眼鏡および／もしくはコンタクトレンズが不要となる。レーザは極端に少量の眼球の内容物に焦点をあてることの出来る能力を有することから、こうしたあらゆる治療において、選択医療としてレーザが選択されている。加えて、正確かつ確実に眼の所定部分に導かれることが可能なレーザの能力は、ピンポイントの正確さを少しも損なわないことが要求される、眼の治療における全く新しい分野を確立した。しかし残念なことに、レーザ源との関連における眼の動きはレーザの正確さを徐々に衰えさせ、眼へのレーザ治療の有効性を減じる。眼の動きは、広く、自然に生じるものと無意識に生じるものとに分類される。自然に生じる動きについては、患者に小さな光源を見つめる（すなわち固定させる）ように指導することで、ほとんどの患者において完全なまでにその動きを静止させることが出来る。しかし、乳児や幼児といったような少数のパーセンテージの患者にとってはその指導に従うことが出来ない場合もある。よって、そのような動きが補正されるか、あるいは取り除かれない限り、こうしたような患者の目の自然な動きがレーザ手術に逆効果をもたらす。無意識の眼の動きは指導で静止させることは出来ないが、こうした動きも何らかの方法で調整する必要がある。無意識の眼の動きに含まれるものに、患者の脈博や呼吸からくる動きがある。しかし、こういった無意識の眼の動きは一般的に比較的低周波（例えば１Ｈｚ）で生じる。また、患者がびっくりしたようなときに生じる、精神的な目の動きは一般的にわずか約５０Ｈｚの範囲で生じている。さらに、精神的な眼の動きは一般的に眼を固定している最中には生じない。また、一般的なレーザ治療は比較的速く（例えば数ｍ秒で）完了させることが出来る。しかし依然ながら、無意識の眼の動きは補正されるか、あるいは効果的に取り除かれなくてはならない。
【０００３】
自然の眼の動き、あるいは無意識による眼の動き、いずれかによる逆効果を減じるか、あるいは効果的に取り除く方法の一つに、眼を抑制する方法がある。この観点で、眼を抑制する目的で機械的に眼に圧力を加える装置が従来技術においていくつか開示されている。一般的に、この圧力は眼の表面（すなわち、強膜、縁部、あるいは角膜）に加えられる。しかし、眼の抑制システムはいくつかの欠点をもつことが容易に理解される。第一に、抑制装置は望ましいレーザパス（経路）に沿って配置されなくてはならない。その場合、抑制装置がレーザ治療を妨げることがありうる。さらには、眼に与えられる圧力が眼球の形状を変えてしまうほどのものであり、それにより高度の正確さでレーザ焦点を合わせなくてはならない努力を複雑なものにする。また、重要なことに、眼にかけられる圧力はしばしば患者にとって不快なものであり、手術後の痛みや傷跡を残す結果をまねくこともある。最終的に眼の眼圧を危険なレベルまで上げることで、その圧力が眼にダメージを与えかねない。
【０００４】
本発明において重要なことは、眼の動きを感知する目的で使用される技術である。これまで、眼の動きを感知するための技術がいくつか開示されてきた。眼の動きをたどる一つの方法に、眼に対する先存の光学特性とそのトラック（軌跡）を見つけ出す方法がある。そうした一技術に、１つあるいはそれ以上のプリキンエ射像（Parkinjeとprojections）の変位に従うものがある。また他の装置では眼の動きをたどるために眼の可視コントラスト（明暗対比）を用いる。例えば、あるシステムでは虹彩と瞳孔との間の縁部をたどり、また別のシステムにおいては虹彩と強膜との間の縁部をたどる。他の開示されているシステムでは、眼の全体のコントラストを用い、全アナログシステムの光検知器の使用により眼の動きをたどる。しかし、先存のランドマーク（標認点）の使用は患者ごとのカスタムシステム較正を必要とする。（すなわち、外科医が最初のシステム座標内でランドマークを定義し、これを見つけ出さなくてはならない。あるいは、少なくともシステムが正確な先存のランドマークを見つけ出したことを実証しなくてはならない。）さらに、眼のコントラストは患者から患者で変わり、さまざまな結果が導かれる。
【０００５】
眼に基準マークを確定して、この作り出された基準マークを用いて眼の動きをたどるシステムにはいくつかの長所がある。一つの長所は、上記で遠回しに述べたように、眼ごとの整合性である。一つには、作り出された基準マークのコントラストと空間解像度が調整可能である。また、本発明において重要なことは、マークの形状および位置が調整可能であるということである。例えば、米国特許番号４，８４８，３４０、「Ｅｙｅｔｒａｃｋｅｒ  ａｎｄ  Ｍｅｔｈｏｄ  ｏｆＵｓｅ」なる発明の名称において、角膜表面にマークを刻むことにより作り出される基準マークについての記載がなされている。
【０００６】
角膜のストロマ内に基準マークを作り出すことにおいて直面するであろう問題の理解に、眼の角膜についての解剖学的構造における一般的な知識が役立つ。角膜は構造的に異なるいろいろな組織の層により構成されている。角膜のいろいろな層とは、眼の外側から眼の内側に後ろ方向に、順に、上皮層、ボウマン膜、ストロマ、デスメ膜、そして内皮層である。これらの様々な層のうち、ストロマは最も伸長性があり、一般的に４００ミクロンの厚さがある。
【０００７】
詳細に述べると、眼のストロマは、同一と見なすことの出来る、かつ、区別出来るラメラの複数層から成る。ストロマにおけるラメラのこれらの各層は、角膜それ自身のように一般的にドーム型で、約６ミリメートルの直径を有する円弧状部分を横断して延びている。特定のラメラの入った層とは違い、各ラメラはわずか約１／１０ミリメートルという短さから１．５ミリメータまで延びている。このように、各層はいくつかのラメラを含んでいる。重要なことに、各ラメラは、ラメラ内で互いにほぼ平行になっている多くの原繊維を含んでいる。しかし、一般的に一つのラメラの原繊維は他のラメラの原繊維とは平行になっていない。これは、異なる層のラメラ間同様、同一層のラメラ間でもそうである。最後に、層に垂直な方向に、個々のラメラはわずか約２ミクロンの厚さであることに注目されたい。
【０００８】
上述したような一般的な構造において、角膜のストロマにおいて基準マークを作り出すことを考慮する限りにおいて関連する、ストロマに関する重要なファクター（要因）が少なくとも３つある。これらのファクターのうち、一つは構造的なものであり、ストロマに著しい異方性があるという理由からこれが関係する。詳しく言うと、ラメラ内の組織の強さは、ラメラの層を互いに支えている粘着性の組織によりもたらされる強さの約１５倍である。このように、他の層からラメラの一つの層を分離する（つまり、はがし取る）には、ラメラを切るのに必要とされるエネルギーよりもはるかに少ないエネルギーだけですむ。
【０００９】
二つめのファクターは、一つめのファクターにいくらか関係し、光線剥離に反応するストロマ組織に関連するものである。詳細に言うと、光線剥離レーザビームにおける所定のエネルギーレベルで、光線剥離により強いラメラ組織に作り出されたバブル（気泡）は、ラメラ層間に作り出されるバブルよりも顕著に小さくなる。逆に、所定のエネルギーレベルで、ラメラ層間の界面に大きなバブルを作り出すことが可能である。このように、本発明においては、光線剥離に比較的低レーザエネルギーを用いて、ラメラ間の界面に大きなバブルを作り出すことが望ましいことが理解出来る。大きなバブルは映像化の容易な基準マークを作り出す。また一方で、光線剥離に比較的低レーザエネルギーを使用することでストロマへの周辺ダメージを最小限に抑えることが出来る。
【００１０】
ＬＡＳＩＫタイプの治療で角膜フラップ（切片）を作り出す状況において、光線剥離を行うために波面アナライザおよびエリプソメータを使用してラメラ層間の界面を見つけ出す方法が、Ｂｉｌｌｅによる、２００１年２月１４日出願の、同時係属米国特許出願０９／７８３，６６５号、「Ａ  Ｍｅｔｈｏｄ  ｆｏｒ  Ｓｅｐａｒａｔｉｎｇ  Ｌａｍｅｌｌａｅ」なる発明の名称において開示されている。この同時係属出願０９／７８３，６６５号の内容はここに援用する。
【００１１】
【発明が解決しようとする課題】
よって、本発明の目的は、眼に対する一連の治療中、眼の動きをたどる際に使用可能な、角膜基準面を確定することに適した装置および方法を提供することである。本発明における別の目的は、角膜への周辺ダメージを最小限に抑えながら、適した角膜基準マークを作り出す方法を提供することである。本発明におけるまた別の目的は、角膜基準面を作り出し、そして基準面の傾きをたどることにより、眼の回転の動きをたどる方法を提供することである。さらに、本発明における別の目的は、基準マークを作り出すときに無意識の眼の動きがそれを妨げないように高速にて（すなわち、全ての基準マークを約１．５ｍ秒内で）角膜基準マークを作り出す装置および方法を提供することである。また、本発明におけるさらに別の目的は、使いやすく、比較的実行が簡単で、かつ比較的コスト効果のある、眼の治療中に眼の動きをたどる方法を提供することである。
【００１２】
【発明を解決するための手段】
本発明は、レーザ治療の正確さを増すために、眼に対するレーザ治療中に眼の動きをたどり、そうした眼の動きを補正する装置および方法に関する。本発明においては、角膜基準面を定義する３つのマークを最初に作り出し、眼の位置の観察にこれを使用する。詳細には、レーザビームを使用して角膜のストロマ内の３つの異なる部分において組織を光線剥離する。これによりこの３つの部分の各々に基準マークを確定する。
【００１３】
各マークについて、複数のポイントが光線剥離され、その各ポイントでバブルが作り出される。望ましくは、各マークは約１２個のバブルを有する。本発明においては、バブルは円弧状に配列されることが望ましい。また、マーク内のそれぞれのバブルは、各マーク同様、ストロマ内において角膜の外側表面からほぼ同一の所定の深さに作り出されることが望ましい。この目的において、本発明の視標追跡機器は、角膜の外側表面の位置を確定するための波面ディテクタを備えている。一旦角膜の外側表面の位置が確定されると、角膜のストロマ組織内において、その外側表面から所定の深さにレーザビームの焦点を合わせることが可能となる。
【００１４】
上記にて示したように、各マークについて約１２個のポイントが光線剥離され、１２個のバブルが作り出される。本発明においては、バブル各々はラメラの２つの層間の界面に形成されることが望ましい。それにより、比較的低エネルギーで、従って、ストロマ組織への周辺ダメージが最小限に抑えられ、比較的大きなバブルを作り出すことが出来る。この目的において、視標追跡機器には波面ディテクタ（検出器）およびエリプソメータが備えられている。詳細に述べると、レーザは、マークにおける第一ポイントに焦点が合わせられ、組織を光線剥離し、そして第一バブルを作り出すことが出来る。次に、波面ディテクタを使用し、第一バブルの大きさを計測する。そこで、第一バブルの大きさは基準バブル（例えば直径１５μｍのバブル）との比較がなされ、第一ポイントがラメラの層間の界面にあるかどうかの判断がなされる。さらに詳しく言うと、第一バブルが基準のバブルよりも大きい場合に第一ポイントはラメラの層間の界面にあると判断される。
【００１５】
ここで、第一ポイントがラメラの層間の界面にあることがバブルの比較により判断されると、フォトディスラプション（光線破壊）するために選択される次のポイントが、角膜の外側表面から第一ポイントとほぼ同一深度となるよう選択される。一方、第一ポイントがラメラの層間の界面にないことがバブルの比較により分かった場合、角膜の外側表面からの深度が第一ポイントからわずかに異なる深度部分に第二ポイントが選択される。この過程は、ラメラの層間の界面上のポイントが見つかるまで繰り返される。界面が一旦見つけ出されると、エリプソメータが使用され、マークごとに作り出された全てのバブルが確実に一つの界面上で光線剥離される。このように、エリプソメータの使用により、全体の基準マークが確実に角膜の外側表面から一定の深度において作り出される。
【００１６】
角膜において一旦基準マークが確定されると、ＬＡＳＩＫといったような眼のレーザ治療中、眼をたどる際にこの基準マークを使用することが可能である。治療中に眼をたどることで、本システムは眼の動きを補正することが可能であることから、それにより治療の正確さを増すことができる。眼の治療中、レーザビームの焦点となるポイントは角膜内において角膜基準面を基準として導かれる。これを達成するために、眼のレーザ治療に必要なレーザの焦点のパスは、最初に静止している眼に対し規定される。眼の外側表面との連携における眼の光軸により、この規定パスを確定する基準システムを提供することが可能である。次に、この基準システム（すなわち、眼の外側表面との連携における眼の光軸）との関連において角膜内の既知の部分に３つの基準マークが確定される。これを達成するために、基準マークが作り出される間、患者は、既知の軸に眼の光軸を合わせて、光源に眼を固定するよう要求される。基準システム（すなわち、眼の外側表面との連携における眼の光軸）との関連において、眼のレーザ治療のための規定パスと角膜基準面とが一旦確定されると、規定パスと角膜基準面との間の関係が計算可能となる。
【００１７】
眼のレーザ治療中、眼の動きが角膜基準面を新しい位置へと移動させる。本発明においては、２個のカメラとコンフォーカルディテクタ（共焦点検出器）とを用い眼の動きを監視することが出来る。詳細に述べると、光軸（すなわちｚ軸）に沿う角膜基準面の動きをコンフォーカルディテクタで計測することが出来る。また、角膜基準面の軸ずれ（すなわち、ｘ−ｙ軸における動き）を対のカメラで計測することが出来る。本発明においては、コンフォーカルディテクタからの計測値および両カメラからの映像は、デジタル映像ソフトウェアと共に配備されたプロセッサに入力され、基準面の位置を三角測量することが出来る。一旦角膜基準面の新規の位置が得られると、レーザビームの焦点は角膜内を規定パスに沿って（新規の角膜基準位置との関連において）導かれることが出来る。
【００１８】
本発明それ自身、そして、その構造および動作の両方に関するすぐれた特徴は、上記における説明内容と関連して添付図面を解釈することによって、より高い理解が得られよう。ここで、添付図面における類似の参照番号は同様な部分を指している。
【００１９】
【発明の実施の形態】
はじめに図１は、本発明による機器ないし装置を略示したものであり、全体を符号１０にて示す。ここに示すように、装置１０はレーザソース（源）１２を備えている。このレーザソース１２は望ましくは、各パルスが約１ピコ秒のパルス持続時間を有する、超短パルスの連続した列をレーザソース１２が発する光線剥離モードを有する。詳しく言うと、各パルスは、ストロマ組織の光線剥離に必要なしきい値を超えるエネルギーレベル（すなわち、１０ミクロンスポット径当たり約１．５マイクロジュール超）を有する必要がある。装置１０はまた、ストロマ組織内の複屈折特性を判断することが可能なエリプソメータ１４を備えている。本発明の目的において、適合するタイプのエリプソメータが、Ｂｉｌｌｅに発行された米国特許５，８２２，０３５号、「エリプソメータ」なる発明の名称において開示され請求されている。さらに、図１において、装置１０は波面を表示可能なハルトマンシャック型センサーのような波面ディテクタ１６を備えている。さらに、図中示すように、装置１０はレーザビームを所定の焦点に導き、そこに合焦させることができるガイダンスオプティクス（誘導光学装置）１８を備えている。またさらに図中示すように、装置１０はコンフォーカルディテクタ２０および対のカメラ２２ａと２２ｂを備えている。望ましくは専用コンピュータであるプロセッサ２４も備えられており、データの処理や、装置１０における他の構成部分の制御を行う。さらに詳細を後述するように、これら構成部分は組み合わさって協調し、眼に対する一連の治療中、眼８の角膜２６内において、眼２８の動きをたどる際に使用可能な基準面を確定する。
【００２０】
本発明においては、図２におけるマーク３０ａ−３０ｃのような、基準面を示す角膜基準マークが最初に作られ、眼の位置を計測するために用いられる。詳しく言うと、レーザビームが使用され、角膜２６のストロマ内における３つの異なる部分で組織を光線剥離する。それにより３つの部分それぞれにおいて基準マーク３０が確定される。図中示すように、各マーク３０について、複数のポイントが光線剥離され、各ポイントにおいてバブル３２を作り出す。望ましくは、各マーク３０は約１２個のバブル３２を含む。本発明において、バブル３２は円弧状に配列されることが望ましい。本発明において、適するマーク３０はセグメント（区分）長が約１５０μｍ、また、セグメント幅が約５０μｍであり、角膜２６の中央から約５ｍｍ長３８のところに位置する。
【００２１】
各マーク３０と同様、マーク３０内の各バブル３２はストロマ内において角膜２６の前表面からほぼ同一の所定の深さに作り出されることが望ましい。この目的のために、波面ディテクタ１６が使用され、公知の適切な従来技術を用い、角膜２６の前表面の位置を確定することが出来る。一旦、角膜２６の前表面の位置が確定されると、角膜２６のストロマ組織内において、前表面から所定の深さにレーザビームの焦点が合わされる。
【００２２】
図３は、角膜２６のストロマの部分を構成する複数のラメラ４０を示したものである。さらに、ラメラ４４ａとラメラ４４ｂの２つの層の間の界面を図３に示している。上記に示すように、また、図２に示すように、各マーク３０について、約１２のポイントが光線剥離され、約１２個のバブル３２となる。図２と図３を相互参照することにより、バブル３２各々の形成がラメラ４４の２層間の界面４２になされることが望ましいことが理解できる。これにより、比較的低レーザエネルギーで、従って、角膜２６のストロマ組織に対する周辺ダメージが最小限に抑えられ、比較的大きなバブル３２を作り出すことが出来る。
【００２３】
バブル３２を界面４２上に位置させるため、装置１０は波面ディテクタおよびエリプソメータ１４を用いる。詳細に言うと、パルスレーザは、角膜２６のストロマ内の第一ポイントで焦点が合わされることが出来る。第一ポイントがマーク３０の位置で、かつ角膜２６の前表面から所定の深度で選択されるにもかかわらず、第一ポイントは界面４２上にあるかもしれず、あるいはないかもしれない。
【００２４】
第一ポイントが界面４２上にない場合を考察する。図３に示したポイント４６はこうしたポイントの一つである。ポイント４６における光線剥離により、バブル３２（図３に示さず）が出来上がる。次に、波面ディテクタ１６を用い、第一バブル３２の大きさを計測する。次に、波面ディテクタ１６およびプロセッサ２４を用い、第一バブル３２の大きさを基準バブルと比較し、第一ポイント（すなわちポイント４６）がラメラ４４の層間の界面上にあるかどうかの判断を行う。
【００２５】
引き続き、ポイント４６はラメラ４０内にあり、界面４２上にないことから、作られたバブル３２は基準バブルよりも小さいことが分かる。かつ、プロセッサ２４がポイント４６が界面４２上にないことを判断する。よって、第二ポイントが第一ポイントよりも角膜２６の前表面からわずかに異なる深さに選択される。このプロセスはラメラ４４の層間の界面４２が見つかるまで繰り返される。それにより、結局はポイント４８のような界面４２上のポイントが見つかる。よって、界面４２は第一ポイントとの関連において見つけられることが理解されよう。界面４２上のポイントに関し、バブル３２は基準バブルと同一大きさか、あるいはこれよりも大きくなる。
【００２６】
界面４２上のポイントが一旦見つけ出され、そして光線剥離されると、フォトディスラプション（光線破壊）するために選択される次のポイントは、角膜２６の前表面から第一ポイントとほぼ同一深度において選択される。例えば、例示のポイント４８の光線剥離の後、作り出されるバブル３２が基準バブルと比較され、ポイント４８が界面４２上にあるという判断がなされる。このように、例示のポイント５０のような、光線剥離のために選択される次のポイントが同一深度において選択される。
【００２７】
一旦界面４２が見つけ出されると、エリプソメータ１４が使用され、後続の光線剥離が同一界面４２で行われることを検査することが出来る。この検査により、マーク３０の全バブル３２が確実に同一界面４２上に作り出されることが出来る。詳しく言うと、ラメラ４４の層から層まで約１／２度の位相変化を表す複屈折変化があるという事実を利用することが出来る。このように、複屈折変化の検出はラメラ４４の１つの層から他への変化を表す。
【００２８】
一旦、角膜２６において基準マーク３０ａ−３０ｃが確定されると、ＬＡＳＩＫといったようなレーザ治療中、眼２８の動きをたどるためにこれら基準マーク３０を使用することが可能となる。この治療中、眼２８をたどることにより、装置１０が眼２８の動きを補正することが出来る。これにより、こうした治療の正確さが増す。眼の治療中、レーザビームの焦点は、基準マーク３０によって画定された角膜基準面を基準として角膜内において導かれる。これを達成するために、眼のレーザ治療に必要とするレーザの焦点のパスは、最初に静止している眼に対し規定される。眼２８の前表面との連携における眼２８の光軸は、この所定パスを確定するための基準となるシステムを提供する。次に、基準システム（すなわち、眼２８の前表面との連携における眼２８の光軸）に関連して、３つの基準マーク３０が角膜２６における既知の位置に確定される。これを達成するため、基準マーク３０が作られる間、患者は、既知の軸と眼２８の光軸をそろえて光源を見つめるよう要求される。一旦、基準システム（眼２８の前表面との連携における眼２８の光軸）との関係において、眼のレーザ治療の規定パスと角膜基準面とが確定されると、規定パスと角膜基準面との間の関係が計算可能となる。
【００２９】
眼のレーザ治療中、眼２８の動きが角膜基準面を新しい位置へと移動させる。本発明においては、カメラａ、カメラｂおよびコンフォーカルディテクタを用い、その動きを監視することが出来る。詳しく言うと、光軸（すなわちｚ軸）に沿った角膜基準面の動きをコンフォーカルディテクタ２０にて計測することが出来、また、角膜基準面の軸ずれ（すなわちｘ−ｙ方向の動き）をカメラ２２ａとカメラ２２ｂにより計測することが出来る。本発明において、コンフォーカルディテクタ２０から得る計測値とカメラａとカメラｂから得る映像とをプロセッサ２４に入力することが出来る。ここで、デジタル映像ソフトウェアを使用することにより基準面の位置を三角測量することが出来る。一旦、角膜基準面の新規位置が得られると、レーザビームの焦点は角膜内を所定のパスに沿って（新規の角膜基準位置との関係において）導かれることが出来る。
【００３０】
以上、詳細に説明し開示した、角膜基準を作り、眼の動きをたどる本発明の特定な装置および方法は、目的を十分に達成し、かつ前述の利点を得ることが出来るが、ここに記載の内容は本発明の望ましい実施形態の例示に過ぎず、請求項に記載の内容以外には、その構造および設計の細部に制限を設けるものでないことを理解されたい。
【図面の簡単な説明】
【図１】本発明による装置のシステム構成を示す略図である。
【図２】ストロマにおける３つの基準マークを光線剥離することにより確定された角膜基準面を示した、図１の線２−２に沿った角膜の平面図である。
【図３】眼の角膜におけるラメラの層の部分断面図である。
【図１】
0004128783.tif 000002
【図２】
0004128783.tif 000003
【図３】
0004128783.tif 000004